(57)【要約】【課題】リモコン信号発生装置を用いて受信装置でタイマー設定した時刻に、記録装置へ記録指示信号を送出し、記録装置からの映像信号を検出する受信装置を提供する。【解決手段】タイマー入力キー３を用いて録画開始時刻が設定される。録画開始時刻になると、受信装置１と接続されているリモコン信号発生装置８から記録装置１１に対して記録指示信号が送出される。送出された記録指示信号は、信号受信部１２で受信され、システムコントローラ１７で処理される。受信装置１のビデオ検出器７は、記録装置１１からの映像信号の有無を検出する。映像信号が検出されないときは再度記録装置に対して記録指示信号が送出される。このようにして、記録装置の電源がONとOFFが逆になってしまった場合でも修正でき、確実に録画することができる。【選択図】  図１
2005045583.tif 000002
【特許請求の範囲】
【請求項１】
外部にリモートコントロール信号発生装置が接続された受信装置において、
録画開始時刻において、上記リモートコントロール信号発生装置によって記録装置に対して記録指示信号を送出して記録装置を記録状態に設定し、
上記記録装置における記録信号の有無を検出し、
上記記録信号が検出されるときは、上記記録状態を継続し、
上記記録信号が検出されないときは、上記記録指示信号を再度送信することを特徴とする受信装置。
【請求項２】
外部にリモートコントロール信号発生装置が接続された受信装置において、
録画開始時刻において、上記リモートコントロール信号発生装置によって記録装置に対して記録指示信号を送出して記録装置を記録状態に設定し、
上記記録装置における記録信号の有無を検出し、
上記記録信号が検出されるときは、上記記録状態を継続し、
上記記録信号が検出されないときは、上記リモートコントロール信号発生装置から上記記録装置に対して入力切換信号を送出し、上記記録装置が出力記録信号を記録する状態とすることを特徴とする受信装置。
【請求項３】
上記記録指示信号は電源制御信号と録画開始指示信号であることを特徴とする請求項１または請求項２に記載の受信装置。
【請求項４】
受信装置の外部に接続されたリモートコントロール信号発生装置によって記録装置のタイマー録画を制御する記録装置制御方法において、
録画開始時刻において、上記リモートコントロール信号発生装置によって記録装置に対して記録指示信号を送出して記録装置を記録状態に設定し、
上記記録装置における記録信号の有無を検出し、
上記記録信号が検出されるときは、上記記録状態を継続し、
上記記録信号が検出されないときは、上記記録指示信号を再度送信することを特徴とする記録装置制御方法。
【請求項５】
受信装置の外部に接続されたリモートコントロール信号発生装置によって記録装置のタイマー録画を制御する記録装置制御方法において、
録画予約時刻において、上記リモートコントロール信号発生装置によって記録装置に対して記録指示信号を送出して記録装置を記録状態に設定し、
上記記録装置における記録信号の有無を検出し、
上記記録信号が検出されるときは、上記記録状態を継続し、
上記記録信号が検出されないときは、上記リモートコントロール信号発生装置から上記記録装置に対して入力切換信号を送出し、上記記録装置が出力記録信号を記録する状態とすることを特徴とする記録装置制御方法。
【請求項６】
上記記録指示信号は電源制御信号と録画開始指示信号であることを特徴とする請求項４または請求項５に記載の記録装置制御方法。
【発明の詳細な説明】
【技術分野】
【０００１】
この発明は、リモートコントロール（以下、リモコンと適宜称する。）信号発生装置が接続された受信装置およびリモコン信号発生装置の信号によって記録装置を制御する記録装置の制御方法に関する。
【背景技術】
【０００２】
従来、記録装置を用いて受信装置によって受信される映像を録画するために、受信装置にリモコン信号発生装置を接続し、リモコン信号発生装置によってビデオテープレコーダー等の記録装置をリモコン制御することが行われている。受信装置のタイマー予約動作と連動して、リモコン信号発生装置が、記録装置の電源を録画開始時刻の直前にＯＮにするための信号を発生する。そして録画開始時刻で、記録装置の記録動作を開始させる制御信号をリモコン信号発生装置が発生する。
【０００３】
リモコン信号発生装置から発生される信号によって、記録装置の電源を制御することについては、下記の特許文献１に記載されている。
【特許文献１】特開２００２−３０５７１０号公報
【発明の開示】
【発明が解決しようとする課題】
【０００４】
しかしながら、記録装置の電源が既にＯＮになっている状態でリモコン信号発生装置が電源制御信号を送信すると記録装置の電源がＯＦＦの状態となってしまい、録画開始時間になっても記録装置は作動せず、録画が失敗してしまうおそれがあった。
【０００５】
また、記録装置は、記録装置の内蔵チューナからではなく、ライン入力からの受信装置の出力信号を録画ソースとして選択する。しかしながら、ユーザは、録画設定の時に記録装置の電源をＯＦＦしてもライン入力に設定することを忘れ、録画が失敗してしまうおそれがあった。
【０００６】
したがって、この発明の目的は、リモコン信号発生装置によって、確実に予約した番組等を記録できる受信装置および記録装置制御方法を提供することにある。
【課題を解決するための手段】
【０００７】
上述した課題を解決するために、請求項１の発明は、
外部にリモートコントロール信号発生装置が接続された受信装置において、
録画開始時刻において、リモートコントロール信号発生装置によって記録装置に対して記録指示信号を送出して記録装置を記録状態に設定し、
記録装置における記録信号の有無を検出し、
記録信号が検出されるときは、記録状態を継続し、
記録信号が検出されないときは、記録指示信号を再度送信することを特徴とする受信装置である。
【０００８】
請求項２の発明は、
外部にリモートコントロール信号発生装置が接続された受信装置において、
録画開始時刻において、リモートコントロール信号発生装置によって記録装置に対して記録指示信号を送出して記録装置を記録状態に設定し、
記録装置における記録信号の有無を検出し、
記録信号が検出されるときは、記録状態を継続し、
記録信号が検出されないときは、リモートコントロール信号発生装置から記録装置に対して入力切換信号を送出し、記録装置が出力記録信号を記録する状態とすることを特徴とする受信装置である。
【０００９】
請求項４の発明は、
受信装置の外部に接続されたリモートコントロール信号発生装置によって記録装置のタイマー録画を制御する記録装置制御方法において、
録画開始時刻において、リモートコントロール信号発生装置によって記録装置に対して記録指示信号を送出して記録装置を記録状態に設定し、
記録装置における記録信号の有無を検出し、
記録信号が検出されるときは、記録状態を継続し、
記録信号が検出されないときは、記録指示信号を再度送信することを特徴とする記録装置制御方法である。
【００１０】
請求項５の発明は、
受信装置の外部に接続されたリモートコントロール信号発生装置によって記録装置のタイマー録画を制御する記録装置制御方法において、
録画予約時刻において、リモートコントロール信号発生装置によって記録装置に対して記録指示信号を送出して記録装置を記録状態に設定し、
記録装置における記録信号の有無を検出し、
記録信号が検出されるときは、記録状態を継続し、
記録信号が検出されないときは、リモートコントロール信号発生装置から記録装置に対して入力切換信号を送出し、記録装置が出力記録信号を記録する状態とすることを特徴とする記録装置制御方法である。
【００１１】
この発明では、受信装置と接続されたリモコン信号発生装置から記録装置に記録指示信号を発生し、受信装置で映像信号の有無を検出し、映像信号が検出されないときはリモコン信号発生装置から再度記録指示信号を送出する。
【発明の効果】
【００１２】
この発明によれば、記録装置から受信装置への映像信号の有無を検出することで記録装置が記録状態になっているか否かを判別でき、記録状態になっていないときは再度リモコン信号発生装置から記録指示信号を送出するので、録画が失敗することがない。
【００１３】
更にこの発明によれば、ユーザの不注意により録画ソースをライン入力することを忘れたとしても、受信装置から記録装置に対して入力切換信号が送信され、正しいライン入力が行われるため、録画が失敗することがない。
【発明を実施するための最良の形態】
【００１４】
以下、この発明の一実施形態について図面を参照しながら説明する。この一実施形態においては、受信装置はアナログ地上波等のテレビジョン放送を受信するテレビジョン受信機、記録装置はビデオテープレコーダー（以下、ＶＴＲと称する。）として説明する。図１は、この発明の一実施形態のテレビジョン受信機１およびＶＴＲ１１のシステムの構成を示す。
【００１５】
テレビジョン受信機１には、画像表示部としてのＣＲＴ（Cathode Ray Tube）２とアンテナ（図示しない）から受信した信号を処理するチューナ・デコーダ５とが備えられている。チューナ・デコーダ５で処理して得られた信号がテレビジョン受信機１の出力端子Ｔ１、ケーブル１５およびＶＴＲ１１のライン入力端子Ｔ２を介して、ＶＴＲ１１の記録部１３に対して伝送される。
【００１６】
また、テレビジョン受信機１にはシステムコントローラ６が備えられている。システムコントローラ６により、各部の動作が制御される。例えば、ユーザがタイマー入力キー３によって入力した予約開始時刻、予約終了時刻、予約チャンネル等の録画予約情報が、システムコントローラ６によって処理される。システムコントローラ６にメモリ４が接続されており、メモリ４にはシステムコントローラ６によって処理された録画予約情報が蓄えられる。
【００１７】
また、システムコントローラ６は、ビデオ検出器７と接続されている。ビデオ検出器７はＶＴＲ１１からの記録信号を検出する。記録信号の検出の結果がシステムコントローラ６に伝送される。システムコントローラ６に対してリモコン信号発生装置８が接続されている。リモコン信号発生装置８は、システムコントローラ６の指示に基づき、ＶＴＲ１１の信号受信部１２に対してリモコン信号を送信する。尚、リモコン信号は例えば、赤外線を変調した信号である。
【００１８】
ここでビデオ検出器７の一例について図２を用いて説明する。入力端子Ｔ４から入力されたビデオ信号は、参照符号５１で示す同期分離回路に供給される。同期分離回路５１は、ビデオ信号中の水平同期信号および垂直同期信号を分離する。同期分離回路５１に対して、ダイオード５２、コンデンサ５３および抵抗４０からなる検波回路が接続されている。検波回路の出力端子５５には、同期信号が分離される時に、所定レベル以上の検出信号が出力される。出力端子５５からシステムコントローラ６に対して検出信号が供給される。
【００１９】
システムコントローラ６は、所定レベル以上の検出信号を受け取ると、入力端子Ｔ４に映像信号が入力されていると判定し、そうでない場合には、映像信号が入力されていないと判定する。このようにして、ビデオ検出器７が映像信号の有無を検出できる。
【００２０】
次に、ＶＴＲ１１について説明する。ＶＴＲ１１には記録部１３、再生部１４およびシステムコントローラ１７が備えられている。記録部１３は、ＶＴＲのテレビジョン受信機１１の出力端子Ｔ１からＶＴＲ１１のライン入力端子Ｔ２に入力される記録信号を処理して、回転ヘッド（図示しない）によって磁気テープ上に記録される。スイッチＳＷ１が端子ａと接続された状態では、記録部１３に入力される映像信号が出力端子Ｔ３からテレビジョン受信機１の入力端子Ｔ４に伝送される。また、録画した情報を再生するときは、ＳＷ１が端子ｂと接続され、再生信号が、ケーブル１６を介してテレビジョン受信機１の入力端子Ｔ４に伝送され、再生される。
【００２１】
また、ＶＴＲ１１には、記録部１３、再生部１４等の各部の動作を制御するシステムコントローラ１７備えられている。信号受信部１２は、テレビジョン受信機１に接続されているリモコン信号発生装置８から送信されるリモコン信号を受信する。受信された信号は、システムコントローラ１７に伝送される。例えば、受信した信号が電源制御信号である場合は、システムコントローラ１７は電源部（図示しない）に対し、電源をＯＮ、ＯＦＦさせる電源制御信号を供給する。ここで、電源制御信号とは、ＯＮからＯＦＦまたはＯＦＦからＯＮに変化させるトグル動作を行わせる信号である。
【００２２】
次に、この発明の一実施形態の動作について、図３のフローチャートを参照しながら説明する。ユーザはタイマー入力キー３によってタイマー録画をするための設定を行う（ステップＳ１）。入力されたタイマー録画に関する情報はシステムコントローラ６に伝送され、メモリ４に蓄えられる。
【００２３】
ステップＳ２において、録画開始時刻になったと判定されると、システムコントローラ６がチューナ・デコーダ５を制御して予約チャンネルが選局される（ステップＳ３）。そしてステップＳ４において、リモコン信号発生装置８からＶＴＲ１１の信号受信部１２に対して、電源制御信号を送出し、ＶＴＲの電源をＯＮの状態とする。
【００２４】
リモコン信号発生装置８から信号受信部１２に電源制御信号を送出した後、ステップＳ５の待機状態を経た後、ステップＳ６において録画開始指示信号を送出する。録画開始指示信号は信号受信部１２により受信される。録画開始指示信号を受信すると、ステップＳ７の待機状態を経た後、録画開始指示信号がシステムコントローラ１７に伝わり、スイッチＳＷ１の入力端子ａとが接続された記録状態となる。このとき、ＶＴＲ１１が正常に作動していれば、出力端子Ｔ３を通じてテレビジョン受信機１の入力端子Ｔ４にビデオ信号が入力される。
【００２５】
テレビジョン受信機１のビデオ信号検出器７によってビデオ信号の検出がなされる（ステップＳ８）。ビデオ信号が検出されれば記録部１３が正常に作動していると判断し、ステップ９において録画が開始される。ビデオ信号が検出されない場合は、ＶＴＲの電源がＯＦＦの状態となっているとシステムコントローラ６が判断し、ステップＳ４に戻って再度電源制御信号が送出され、その後ステップＳ５〜ステップＳ８の動作が繰り返される。
【００２６】
次に図４を参照してこの発明の他の実施形態について説明する。上述した一実施形態と同様に、テレビジョン受信機２１には画像表示部としてのＣＲＴ２２、タイマー入力キー２３、メモリ２４、チューナ・デコーダ２５、リモコン信号発生装置２８が備えられる。また、テレビジョン受信機２１には、ビデオ比較器２７が備えられており、ビデオ比較器２７は、チューナ・デコーダ２５の出力端子および入力端子Ｔ１４と接続されている。ビデオ比較器２７は、ＶＴＲ３１への出力信号と、ＶＴＲ３１から入力端子Ｔ１４に入力される記録信号とを比較し、比較結果をシステムコントローラ２６に供給する。
【００２７】
ＶＴＲ３１には、システムコントローラ４０が備えられ、システムコントローラ４０に対して記録部３３、再生部３４、チューナ３５、信号受信部３２が接続されている。例えばリモコン信号発生装置２８から入力切換信号が送信されたときは、入力切換信号は信号受信部３２によって受信され、システムコントローラ４０に伝送される。システムコントローラ４０からの入力切換信号がスイッチＳＷ２に伝送され、スイッチＳＷ２の接続端子がｄまたはｅに切り替わる。入力切換信号によって、スイッチＳＷ２が、内蔵チューナの出力からライン入力を選択する動作と、その逆にライン入力から内蔵チューナの出力を選択する動作の何れかがなされる。
【００２８】
次にこの発明の他の実施形態の動作について説明する。ユーザは、タイマー入力キー２３を操作して、メモリ２４にタイマー録画情報を蓄える。録画開始時刻になると、リモコン信号発生装置２８からＶＴＲ１１の信号受信部３２へ電源制御信号および録画開始指示信号が送出される。
【００２９】
録画開始指示信号により、ＶＴＲ３１が記録状態になると、テレビジョン受信機２１のチューナ・デコーダ２５よりケーブル３５を介してＳＷ２にビデオ信号が伝送される。ＶＴＲ３１が記録状態になっていることから、ＶＴＲ３１の記録部３３よりケーブル３６を介してビデオ比較器２７に対してビデオ信号が伝送される。
【００３０】
ビデオ比較器２７は、チューナ・デコーダ２５からのビデオ信号とＶＴＲ３１の記録部３３からのビデオ信号とが一致するか否かを比較する。一致する場合はそのままの記録状態を継続する。一致しない場合は、システムコントローラ２６に一致しないという信号が伝送される。システムコントローラ２６からリモコン信号発生装置２８に入力切換信号が伝送される。リモコン信号発生装置２８から入力切換信号が送出され、ＶＴＲ３１のリモコン信号受信部３２によって受信される。受信された入力切換信号によってスイッチＳＷ２が制御され、スイッチＳＷ２の端子ｄと端子ｆが接続される。これにより正しいライン入力設定が行われる。
【００３１】
この発明は、上述した実施形態に限定されるものではなく、この発明の要旨を逸脱しない範囲内でさまざまな変形や応用が可能である。例えば、上述した実施形態では、受信装置は地上波アナログ放送を受信するテレビジョン受信機として説明したが、ＢＳデジタル放送、１１０°ＣＳ放送、地上波デジタル放送更にはインターネット上のコンテンツ等を受信する受信装置でもよい。
【００３２】
記録装置についても、上述した実施形態では、ＶＴＲを用いたが、ＤＶＤ（Digital Versatile Disc）記録装置や、HDD（Hard Disk Drive）レコーダーに対してもこの発明を適用できる。さらに、記録信号の有無を検出するための信号としては、記録映像信号に限らず、記録音声信号を使用してもよい。
【図面の簡単な説明】
【００３３】
【図１】この発明の、一実施形態を示すブロック図である。
【図２】ビデオ信号検出器の一例を示す略線図である。
【図３】この発明の一実施形態の動作を示すフローチャートである。
【図４】この発明の、他の実施例を示すブロック図である。
【符号の説明】
【００３４】
１、２１      テレビジョン受信機
３、２３      タイマー入力キー
４、２４      メモリ
５、２５      チューナ・デコーダ
７            ビデオ検出器
１１、３１    ＶＴＲ
１３、３３    記録部
２７          ビデオ比較器
【図１】
2005045583.tif 000003
【図２】
2005045583.tif 000004
【図３】
2005045583.tif 000005
【図４】
2005045583.tif 000006